(57)【要約】      （修正有）【課題】コンパクトなサイズで、イヤホン全体の設計時間も短縮可能なイヤホン用ダイナミックスピーカーを提供する。【解決手段】スピーカー１、電池２、およびＰＣＢＡ回路基板３を含む新型のイヤホン用ダイナミックスピーカーであり、スピーカー１は、一方の側面の中央に貫通孔を有し、電池２は貫通孔に挿入して設置される。また、ＰＣＢＡ回路基板３は、電池２の突出した端部に嵌め込まれる。本考案の利点は小型で全体の設計期間を短縮できることである。【選択図】図１
0003234269.tif 000002
【実用新案登録請求の範囲】
【請求項１】
スピーカー（1）、電池（2）、ＰＣＢＡ回路基板（3）から構成され、前記スピーカー（1）の一方の端面中央には貫通孔が設けられ、前記電池（2）は前記貫通孔に挿入して設置され、前記ＰＣＢＡ回路基板（3）は前記電池（2）の突出した端部に装着されていること、を特徴とするイヤホン用ダイナミックスピーカー。
【請求項２】
請求項１に記載のイヤホン用ダイナミックスピーカーであって、次のことを特徴とする：前記スピーカー（1）は、シリンダーハウジング（11）を備え、前記シリンダーハウジング（11）は、底面に取り付けられた第１ワッシャー（12）を有し、前記シリンダーハウジング（11）は、内面に取り付けられ、前記第１ワッシャー（12）に隣接するマグネットリング（13）を有し、前記シリンダーハウジング（11）は、内面に取り付けられ、前記マグネットリングに隣接して第２ワッシャー（14）を有する。前記第２ワッシャー（14）の内周面側には、前記電池(2)の一端側が内側に遊嵌されるボイスコイル(15)が設けられ、前記シリンダーハウジング（11）の開放端には振動膜（17）が取り付けられている。
【請求項３】
請求項２に記載するイヤホン用ダイナミックスピーカーであって、次のことを特徴とする：前記シリンダハウジング(11)の開放端の端縁に、前記振動膜(17)に押し付けられるように銅リング(16)が取り付けられている。
【請求項４】
請求項２に記載するイヤホン用ダイナミックスピーカーであって、次のことを特徴とする：前記電池(2)は、磁性体金属ハウジング(21)と、該磁性体金属ハウジング(21)に内蔵されている電気コア(22)とからなる。
【請求項５】
請求項２に記載するイヤホン用ダイナミックスピーカーであって、次のことを特徴とする：前記第１ワッシャー（12）は、前記電池(2)の前記磁性体金属ハウジング(21)との間でＴ字型の磁気伝導体を形成している。
【考案の詳細な説明】
【技術分野】
【０００１】
本実用新案は、イヤホンの技術分野に関するもので、具体的には、イヤホン用ダイナミックスピーカーに関するものである。
【背景技術】
【０００２】
現在、イヤホンをはじめとする既存のオーディオ・ウェアラブル製品は、小型化・薄型化が難しい。イヤホンの中でとくにスペースを占めているのは、スピーカー、バッテリー、ＰＣＢＡ回路基板の３つである。
製品技術の急速な進歩に伴い、デジタル製品は、よりビジネスに適したポータビリティー、つまり、より軽く持ち運びやすいように、機能は削らない前提で、いかに製品を小さくするかが重要である。
【０００３】
一方、イヤホンの設計プロセスは非常に面倒である（１か月から３か月）。実際にイヤホンの設計プロセスの例は以下の通りである。
Ａ.  主要３部品の設計とサンプル組み立て依頼 ２０日間：
スピーカー設計→バッテリー→回路設計→アンテナ設計→レイアウト→部品サンプル依頼→組み立て→デバッグ→デザイン改善→改善サンプル依頼→組み立て→デバッグの検証。
B.  デバッグ用の機能サンプルの組み立て １０日間：
機能デバッグ→アンテナデバッグ→サウンドデバッグ→デバッグ改善→最終完成品の機能テスト。
【０００４】
上記の例で、イヤホンの設計時間を短縮するのも重要な課題である。
【考案の概要】
【考案が解決しようとする課題】
【０００５】
上記の課題を解決するために、本考案は、コンパクトなサイズであり、全体の設計時間も短縮可能なイヤホン用ダイナミックスピーカーを提供する。
これは、単にコンパクトなスピーカーというだけでなく、イヤホンのバッテリーとＰＣＢＡ回路をスピーカーに付け、一体化したものである。
【０００６】
そうすれば、イヤホンとしてのすべての電気的機能/性能をデバッグし、本考案製品を仕入れるアプリケーション側は、設計された筐体に本考案製品を組み込むだけで、すぐに自社製のイヤホンになるので、アプリケーション側の校正やデバッグなどの面倒なプロセスや時間が不要になり、イヤホン設計プロジェクトの素早い完成を実現することができる。
【課題を解決するための手段】
【０００７】
上記の課題を達成するために、本考案は、以下の技術的解決手段を提供する。
本考案はスピーカー、電池、およびＰＣＢＡ回路基板を含むイヤホン用ダイナミックスピーカーであり、前記スピーカーは一方の端面の中央に貫通孔を備え、前記電池を前記貫通孔に挿入して設置し、前記ＰＣＢＡ回路基板は前記電池の突出した端部に嵌め込んで装着する。
【０００８】
本考案の改良として、前記スピーカーは、シリンダーハウジングを備え、前記シリンダーハウジングは、底面に取り付けられた第１ワッシャーを有し、前記シリンダーハウジングは、内面に取り付けられ、前記第１ワッシャーに隣接したマグネットリングを有し、前記シリンダーハウジングは、内面に取り付けられ、前記マグネットリングに隣接した第２ワッシャーを有し、前記第２ワッシャーの内周面側に配置され、かつ前記電池の一端側が内側に遊嵌されるボイスコイルを有し、前記シリンダーハウジングは、開放端に取り付けられた振動膜を有する。
【０００９】
本考案の改良として、前記シリンダーハウジングは、開放端の端縁に前記振動膜に押し付けるように取り付けられる銅リングを有する。
本考案の改良として、前記電池は、磁性体金属ハウジングと、当該磁性体金属ハウジングに内蔵された電気コアとを備える。
本考案の改良として、前記第１ワッシャーと前記電池の前記磁性体金属ハウジングとはＴ字型の磁気伝導体を形成する。
【考案の効果】
【００１０】
本考案の有益な効果は、以下のとおりである。
第１ワッシャーと電池の磁性体金属ハウジングがＴ字型の磁気伝導体を形成し、電池の一部がスピーカーに組み込まれ、磁気回路の一部となる。
そうすることで、組立後のスピーカースペースの使用を削減し、更に市場のニーズに合わせた騒音低減デバッグ性能を向上させるとともに、各素材の特性の組み合わせを有効に活用することができる。
銅リングの設置で、振動膜のエッジの硬度を強化しながら支持することができ、振動膜を組み立てる際の取り扱いに便利になる。
【００１１】
ボイスコイルに固定された振動膜は、ボイスコイルの振動に追従し、空気を押したり引いたりすることで音波を発生させる（放射音波）。
ボイスコイルを流れる電流が磁場から電磁力を受けてボイスコイルをシリンダーハウジングの軸方向に振動させる。
第１ワッシャーと第２ワッシャーは、主に磁気回路に使用される。
【００１２】
マグネットリングは固定した磁場を提供する、この固定磁場はボイスコイルを流れる電流に電磁力を発生させる。
電池は、本製品の周辺回路に電力を供給するだけでなく、電池の磁気伝導性金属ハウジングを利用して、スピーカーの磁気回路の一部として機能するのが特徴である。
【図面の簡単な説明】
【００１３】
【図１】本考案のイヤホン用ダイナミックスピーカーの構造の概略図である。
【考案を実施するための形態】
【００１４】
以下、図面を参照しながら、本考案の実施例を説明する。
図１に示すように、スピーカー１、電池２、およびＰＣＢＡ回路基板３を含むイヤホン用ダイナミックスピーカーであって、前記スピーカー１は一方の端面の中央に貫通孔を備え、前記電池２を前記貫通孔に挿入して設置し、前記ＰＣＢＡ回路基板３は前記電池２の突出した端部に嵌め込んで装着していることを特徴とする。
【００１５】
前記スピーカー１は、シリンダーハウジング１１を有し、前記シリンダーハウジング１１は、底面に第１ワッシャー１２が取り付けられ、前記シリンダーハウジング１１は、内面に、前記第１ワッシャー１２にすぐ隣接してマグネットリング１３が取り付けられ、前記シリンダーハウジング１１は、内面に、前記マグネットリング１３にすぐ隣接して第２ワッシャー１４が取り付けられ、前記第２ワッシャー １４の内周面側に配置され、かつ前記電池２の一端側が内側に遊嵌されるボイスコイル１５が設けられ、前記シリンダーハウジング１１1は、開放端に振動膜１７が取り付けられていることを特徴とする。
【００１６】
前記シリンダーハウジング１１開放端の端縁に、前記振動膜１７に押し付けられるようにして銅リング１６が取り付けられている。
前記電池２は、磁性体金属ハウジング２１と、該磁性体金属ハウジング２１に内蔵されている電気コア２２とからなる。
前記第１ワッシャー１２は、前記電池２の前記磁性体金属ハウジングと合わせてＴ字型の磁気伝導体（磁気通路）を形成している。
【００１７】
本考案のスピーカー全体の厚さは６．８８ｍｍmであり、従来の厚さ１２．６６ｍｍと比べると、ほぼ半分の厚さに抑えられている。
【００１８】
本考案の具体的な実施例では、ボイスコイル１５に電圧/電流を供給し、磁気回路の作る地場によって電磁力を発生させて、この電磁力はボイスコイル１５をシリンダーハウジング１１の軸方向の力を作り出す。 磁気回路は、ボイスコイル１５を引き寄せさせたり反発させたりすることで、図１の左方向右方向の力を作り出し、その力によって、振動膜１７を制御及び振動させることで音を発生させる。
【００１９】
磁場形成の構造原理の解析：Ｔ字型の磁気伝導体の内、第１ワッシャー１２の端面にマグネットリング１３のＮ極、第２ワッシャー１４の端面にマグネットリング１３のＳ極を接着し、Ｔ字型の磁気伝道体と第２ワッシャー１４の磁気伝導作用により、ギャップに強い磁場が形成され、ボイスコイル１５はそのギャップの中央に設置されて、最も強い電磁力が生起する状態でキープされる。
【００２０】
以上の記載は、本考案の実施形態について説明したが、この説明は限定的なものではなく、添付図面に示されているのも、本考案の実施形態の一つに過ぎず、実際の構造はこれに限定されるものではない。
要するに、関連業者が本考案の啓発を受け、本考案の創作目的を逸脱することなく、進歩性のない技術的解決策に類似した構造方法や実施形態を設計した場合、それは本考案の権利保護範囲に入るとのことである。
【符号の説明】
【００２１】
１  スピーカー
２  電池
３  ＰＣＢＡ回路基板
１１  シリンダーハウジング
１２  第１ワッシャー
１３  マグネットリング
１４  第２ワッシャー
１５  ボイスコイル
１６  銅リング
１７  振動膜
２１  磁性体金属ハウジング
２２  電気コア
【図１】
0003234269.tif 000003